(57)【特許請求の範囲】
【請求項１】
サーバ装置と、前記サーバ装置に通信回線を介して接続された投稿側カラオケ装置、再生側カラオケ装置を備えるカラオケシステムにおいて、
前記投稿側カラオケ装置は、
投稿側演奏手段と、入力手段と、投稿側制御手段と、を備え、
前記投稿側演奏手段は、演奏情報を演奏可能とし、
前記入力手段は、入力音情報を設定された出力音量値に対応する音量で出力し、
前記投稿側制御手段は、前記演奏情報を設定された第１演奏音量値に対応する音量で演奏させるとともに、前記入力音情報を録音して投稿情報を生成し、生成した前記投稿情報をサーバ装置に送信し、
前記投稿情報は、前記入力音情報を録音した録音情報と、録音の際、使用された演奏情報に対応する楽曲識別情報と、演奏の際に設定されていた前記第１演奏音量値と前記出力音量値の関係を示す相対音量情報を含み、
サーバ装置は、
前記投稿側カラオケ装置から送信された前記投稿情報を受信して記憶する記憶手段と、
前記再生側カラオケ装置から要求された前記投稿情報を配信する配信手段と、を備え、
前記再生側カラオケ装置は、
再生側演奏手段と、再生手段と、再生側制御手段と、を備え、
前記再生側演奏手段は、演奏情報を演奏可能とし、
前記再生手段は、録音情報を再生可能とし、
前記再生側制御手段は、前記サーバ装置から前記投稿情報を受信して、前記投稿情報に含まれる前記楽曲識別情報に対応する演奏情報を設定された第２演奏音量値に対応する音量で前記再生側演奏手段に演奏させるとともに、前記投稿情報に含まれる前記録音情報を前記相対音量情報と前記第２演奏音量値に基づいて補正された音量で再生手段に再生させることを特徴とする
カラオケシステム。
【請求項２】
前記相対音量情報と前記第２演奏音量値に基づく前記録音情報の音量値の補正は、前記再生側カラオケ装置にて実行されることを特徴とする
請求項１に記載のカラオケシステム。
【請求項３】
前記相対音量情報と前記第２演奏音量値に基づく前記録音情報の音量値の補正は、前記サーバ装置にて実行されることを特徴とする
請求項１に記載のカラオケシステム。
【請求項４】
サーバ装置と、前記サーバ装置に通信回線を介して接続された投稿側カラオケ装置を備えるカラオケシステムにおいて、
前記投稿側カラオケ装置は、
投稿側演奏手段と、入力手段と、投稿側制御手段と、を備え、
前記投稿側演奏手段は、演奏情報を演奏可能とし、
前記入力手段は、入力音情報を設定された出力音量値に対応する音量で出力し、
前記投稿側制御手段は、前記演奏情報を設定された第１演奏音量値に対応する音量で演奏させるとともに、前記入力音情報を録音して投稿情報を生成し、生成した前記投稿情報をサーバ装置に送信し、
前記投稿情報は、前記入力音情報を録音した録音情報と、録音の際、使用された前記演奏情報に対応する楽曲識別情報と、演奏の際に設定されていた前記出力音量値と前記第１演奏音量値の関係を示す相対音量情報を含み、
前記サーバ装置は、記憶手段と、再生手段と、を備え、
前記記憶手段は、前記投稿側カラオケ装置から送信された投稿情報を受信して記憶し、
前記再生手段は、前記投稿情報に含まれる前記楽曲識別情報に対応し、第２演奏音量値で演奏される演奏音と、前記投稿情報に含まれる前記録音情報を前記相対音量情報と前記第２演奏音量値に基づいて補正された音量で再生させた再生音と、をミキシングして、再生要求のあった情報端末装置に配信することを特徴とする
カラオケシステム。
【請求項５】
サーバ装置に通信回線を介して接続されたカラオケ装置において、
演奏手段と、入力手段と、再生手段と、制御手段と、を備え、
前記演奏手段は、演奏情報を演奏可能とし、
前記入力手段は、入力音情報を設定された出力音量値に対応する音量で出力し、
前記再生手段は、録音情報を再生可能とし、
前記制御手段は、録音処理と、再生処理と、を実行可能とし、
前記録音処理は、前記演奏情報を設定された第１演奏音量値に対応する音量で演奏させるとともに、前記入力音情報を録音して投稿情報を生成し、生成した前記投稿情報をサーバ装置に送信し、
前記投稿情報は、前記入力音情報を録音した録音情報と、録音の際、使用された前記演奏情報に対応する楽曲識別情報と、演奏の際に設定されていた前記出力音量値と前記第１演奏音量値の関係を示す相対音量情報を含み、
前記再生処理は、前記サーバ装置から前記投稿情報を受信し、前記投稿情報に含まれる前記楽曲識別情報に対応する演奏情報を設定された第２演奏音量値に対応する音量で前記演奏手段に演奏させるとともに、前記投稿情報に含まれる前記録音情報を前記相対音量情報と前記第２演奏音量値に基づいて補正された音量で前記再生手段に再生させることを特徴とする
カラオケ装置。
【発明の詳細な説明】
【技術分野】
【０００１】
本発明は、通信回線を介して接続されたカラオケ装置を有するカラオケシステムに関するものである。特に、録音情報を含む投稿情報を投稿可能なカラオケシステム、並びに、当該カラオケシステムで使用されるカラオケ装置に関する。
【背景技術】
【０００２】
従来、各種コンテンツ再生時の音量の適正化を図るため、各種音量制御を行うことが知られている。
【０００３】
特許文献１には、サーバ機器側にコンテンツ対応するコンテンツ音量を記憶した音量調整テーブルを用意しておき、クライアント機器側でコンテンツを再生する際、コンテンツ音量をサーバ機器に問い合わせ、通知されたコンテンツ音量で再生を行う音量調整装置が開示されている。
【０００４】
特許文献２には、サーバに歌唱者の音声データ、および歌唱者の音声データとカラオケ演奏の同期情報を記憶しておき、カラオケ演奏端末は、音声データと同期情報をダウンロードした後、音声データを再生するとともに、ダウンロードした同期情報に基づいてカラオケ演奏を行うカラオケシステムが開示されている。
【先行技術文献】
【特許文献】
【０００５】
【特許文献１】特開２０１１−１６００３７号公報
【特許文献２】特開２０１１−１９１３５７号公報
【発明の概要】
【発明が解決しようとする課題】
【０００６】
カラオケ装置では、コンテンツである演奏情報の再生時は、利用者側で設定された音量で再生される。また、歌唱者の歌声を収音したマイク音は、再生された演奏情報にミキシングして出力される。特許文献２に開示されるカラオケシステムは、音声データを再生するとともに、ダウンロードした同期情報に基づいてカラオケ演奏が実行される。特に、音量に関しては、同期情報に含まれるボリューム情報に基づいてカラオケ演奏に対する音量を制御することが開示されている。
【０００７】
しかしながら、この特許文献２に開示されるカラオケシステムでは、音声データに付随するボリューム情報に基づいて、カラオケ演奏に対する音量を制御するだけであり、再生側にてカラオケ演奏における音量を設定することが不可能な構成となっている。００５０段落には「ユーザは歌唱ファイルに基づく歌唱音と、楽曲データの楽音、および自身の歌唱音のミキシングバランスも、操作部１５を用いて自由に設定することができる。」と記載されており、歌唱音と楽曲データの楽音のミキシングバランスは、再生側のユーザー任せであって、録音時のミキシングバランスを再現することはできない。
【課題を解決するための手段】
【０００８】
本願発明のカラオケシステム、並びに、カラオケ装置はこのような課題を解決するため、以下に示す構成を採用するものである。
【０００９】
本発明に係るカラオケシステムは、
サーバ装置と、前記サーバ装置に通信回線を介して接続された投稿側カラオケ装置、再
生側カラオケ装置を備えるカラオケシステムにおいて、
前記投稿側カラオケ装置は、
投稿側演奏手段と、入力手段と、投稿側制御手段と、を備え、
前記投稿側演奏手段は、演奏情報を演奏可能とし、
前記入力手段は、入力音情報を設定された出力音量値に対応する音量で出力し、
前記投稿側制御手段は、前記演奏情報を設定された第１演奏音量値に対応する音量で演奏させるとともに、前記入力音情報を録音して投稿情報を生成し、生成した前記投稿情報をサーバ装置に送信し、
前記投稿情報は、前記入力音情報を録音した録音情報と、録音の際、使用された演奏情報に対応する楽曲識別情報と、演奏の際に設定されていた前記第１演奏音量値と前記出力音量値の関係を示す相対音量情報を含み、
サーバ装置は、
前記投稿側カラオケ装置から送信された前記投稿情報を受信して記憶する記憶手段と、
前記再生側カラオケ装置から要求された前記投稿情報を配信する配信手段と、を備え、
前記再生側カラオケ装置は、
再生側演奏手段と、再生手段と、再生側制御手段と、を備え、
前記再生側演奏手段は、演奏情報を演奏可能とし、
前記再生手段は、録音情報を再生可能とし、
前記再生側制御手段は、前記サーバ装置から前記投稿情報を受信して、前記投稿情報に含まれる前記楽曲識別情報に対応する演奏情報を設定された第２演奏音量値に対応する音量で前記再生側演奏手段に演奏させるとともに、前記投稿情報に含まれる前記録音情報を前記相対音量情報と前記第２演奏音量値に基づいて補正された音量で再生手段に再生させることを特徴とする。
【００１０】
さらに本発明に係るカラオケシステムにおいて、
前記相対音量情報と前記第２演奏音量値に基づく前記録音情報の音量値の補正は、前記再生側カラオケ装置にて実行されることを特徴とする。
【００１１】
さらに本発明に係るカラオケシステムにおいて、
前記相対音量情報と前記第２演奏音量値に基づく前記録音情報の音量値の補正は、前記サーバ装置にて実行されることを特徴とする。
【００１２】
また本発明に係るカラオケシステムは、
サーバ装置と、前記サーバ装置に通信回線を介して接続された投稿側カラオケ装置を備えるカラオケシステムにおいて、
前記投稿側カラオケ装置は、
投稿側演奏手段と、入力手段と、投稿側制御手段と、を備え、
前記投稿側演奏手段は、演奏情報を演奏可能とし、
前記入力手段は、入力音情報を設定された出力音量値に対応する音量で出力し、
前記投稿側制御手段は、前記演奏情報を設定された第１演奏音量値に対応する音量で演奏させるとともに、前記入力音情報を録音して投稿情報を生成し、生成した前記投稿情報をサーバ装置に送信し、
前記投稿情報は、前記入力音情報を録音した録音情報と、録音の際、使用された前記演奏情報に対応する楽曲識別情報と、演奏の際に設定されていた前記出力音量値と前記第１演奏音量値の関係を示す相対音量情報を含み、
前記サーバ装置は、記憶手段と、再生手段と、を備え、
前記記憶手段は、前記投稿側カラオケ装置から送信された投稿情報を受信して記憶し、
前記再生手段は、前記投稿情報に含まれる前記楽曲識別情報に対応し、第２演奏音量値で演奏される演奏音と、前記投稿情報に含まれる前記録音情報を前記相対音量情報と前記第２演奏音量値に基づいて補正された音量で再生させた再生音と、をミキシングして、再
生要求のあった情報端末装置に配信することを特徴とする。
【００１３】
また本発明に係るカラオケ装置は、
サーバ装置に通信回線を介して接続されたカラオケ装置において、
演奏手段と、入力手段と、再生手段と、制御手段と、を備え、
前記演奏手段は、演奏情報を演奏可能とし、
前記入力手段は、入力音情報を設定された出力音量値に対応する音量で出力し、
前記再生手段は、録音情報を再生可能とし、
前記制御手段は、録音処理と、再生処理と、を実行可能とし、
前記録音処理は、前記演奏情報を設定された第１演奏音量値に対応する音量で演奏させるとともに、前記入力音情報を録音して投稿情報を生成し、生成した前記投稿情報をサーバ装置に送信し、
前記投稿情報は、前記入力音情報を録音した録音情報と、録音の際、使用された前記演奏情報に対応する楽曲識別情報と、演奏の際に設定されていた前記出力音量値と前記第１演奏音量値の関係を示す相対音量情報を含み、
前記再生処理は、前記サーバ装置から前記投稿情報を受信し、前記投稿情報に含まれる前記楽曲識別情報に対応する演奏情報を設定された第２演奏音量値に対応する音量で前記演奏手段に演奏させるとともに、前記投稿情報に含まれる前記録音情報を前記相対音量情報と前記第２演奏音量値に基づいて補正された音量で前記再生手段に再生させることを特徴とする。
【発明の効果】
【００１４】
本願発明のカラオケシステム、並びに、カラオケ装置によれば、録音情報を録音した際の相対音量情報と、再生側に設定されている第２演奏音量値に基づいて、録音情報を再生する際の音量を補正することで、録音時に音響出力されていた入力音情報と演奏音情報の音量バランスを再現することが可能となる。特に、再生側に設定されている第２演奏音量値が異なる環境下においても、録音時の音量バランスを再現することが可能である。
【図面の簡単な説明】
【００１５】
【図１】本発明の実施形態に係るカラオケシステムを示す図
【図２】本発明の実施形態に係るカラオケ装置内の音響制御部の構成を示す図
【図３】本発明の実施形態に係る投稿情報をアップロードするための構成を示す図
【図４】本発明の実施形態に係るアップロード処理を示すフロー図
【図５】本発明の実施形態に係る投稿情報をダウンロードするための構成を示す図
【図６】本発明の実施形態に係るダウンロード処理を示すフロー図
【図７】本発明の実施形態に係る音量値テーブルを示す図
【図８】本発明の他の実施形態に係る投稿情報をダウンロードするための構成を示す図
【図９】本発明の他の実施形態に係るダウンロード処理を示すフロー図
【図１０】本発明の他の実施形態に係る配信情報を送信するための構成を示す図
【図１１】本発明の他の実施形態に係る配信処理を示すフロー図
【発明を実施するための形態】
【００１６】
図１は、本発明の実施形態に係るカラオケシステムの構成を示す図である。本実施形態におけるカラオケシステムは、カラオケ装置２と、リモコン装置１を含んで構成されている。なお、図１に示す例では、１台のカラオケ装置２に対して、リモコン装置１ａとリモコン装置１ｂ、２台のリモコン装置１が使用されている例である。これらリモコン装置１ａ、１ｂの構成は同一であるため、リモコン装置１として説明を行う。カラオケ装置２とリモコン装置１は、ＬＡＮ１００及びアクセスポイント１１０を利用してネットワークを形成するように接続されている。
【００１７】
カラオケボックスなどの店舗に設置されるカラオケ装置２は、楽曲を演奏するための演奏手段として音響制御部７０を備えている。また、カラオケ装置２は、ユーザーからの各種入力を受け付けるスイッチなどで構成される入力手段としての操作部２１を備える。カラオケ装置２は、操作部２１からの入力を解釈して制御部３０に伝達する操作処理部２２を備える。また、カラオケ装置２は、各種情報を記憶する記憶手段としてのＨＤＤ３２（ハードディスク）を備える。カラオケ装置２は、ＬＡＮ１００に接続してネットワークに加入するための通信手段としてのインターフェイス部２４を備えている。
【００１８】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対して歌詞テロップを重畳したり、映像効果を付与する映像制御部３１を備えて構成される。また、映像制御部３１には、カメラ４３が接続されており、カメラ４３で撮影した撮像情報をカラオケ装置２に取り込むことが可能となっている。
【００１９】
さらに、カラオケ装置２の各構成を統括して制御するための制御手段として、ＣＰＵにて構成される制御部３０、各種プログラムを実行するにあたって必要となる情報を一時記憶するためのメモリ２７等を備えて構成される。
【００２０】
このような構成にてカラオケ装置２は、各種処理を実行することとなるが、カラオケ装置２の主な機能として、楽曲予約処理、楽曲再生処理などを実行可能としている。楽曲予約処理は、ユーザーからの指定に基づいて楽曲を指定、予約するための処理であってリモコン装置１と連携して実行される。リモコン装置１から送信された予約情報をメモリ２７に記憶する予約テーブルに登録する。楽曲再生処理は、予約された楽曲を再生させる処理であって、演奏処理と表示処理とが同期して実行される処理である。
【００２１】
演奏処理は、楽曲情報に含まれる演奏情報を音響制御部７０にて演奏させる処理である。音響制御部７０にて演奏された楽曲は、歌唱用マイク４４ａから入力される歌唱音声と一緒にスピーカー４２から放音される。表示処理は、楽曲情報に含まれる歌詞情報をモニタ４１に表示させることで歌唱補助を行う処理である。この表示処理で表示される歌詞に、背景映像を重畳させて表示させる背景映像表示処理を実行することとしてもよい。
【００２２】
一方、リモコン装置１は、予約情報などカラオケ装置２に対して各種指示を送信するとともに、カラオケ装置２あるいはインターネット上に接続されたカラオケ用ホスト５（サーバ装置）から各種情報を受信する。リモコン装置１は、表示手段としての表示部１１と、ユーザーからの各種入力を受け付ける入力手段としての操作部１７とを備える。また、リモコン装置１は、アクセスポイント１１０に無線接続し、ネットワークに加入するための通信手段としての無線ＬＡＮ通信部１６を備える。さらにリモコン装置１は、楽曲検索に必要とされるデータベース、各種プログラム、並びに、プログラム実行に伴って発生する各種情報を記憶する記憶手段としてメモリ１４、そして、これら構成を統括して制御するための制御手段を備えて構成される。制御手段には、ＣＰＵにて構成される制御部１５、表示部１１に対して表示する映像を形成する映像制御部１３、表示する映像情報を一時的に蓄えるビデオＲＡＭ１２、操作部１７からの入力を解釈して制御部１５に伝達する操作処理部１８が含まれている。また、リモコン装置１の表示部１１と操作部１７は一体となってタッチパネル表示画面を形成することとしてもよい。
【００２３】
また、リモコン装置１は、無線ＬＡＮ通信部１６によって、アクセスポイント１１０と無線接続されることで、ＬＡＮ１００によって構成されるネットワークに接続される。な
お、各リモコン装置１は、特定のカラオケ装置２に対して事前に対応付けされている。リモコン装置１から出力される各種命令は、対応付けされたカラオケ装置２にて受信されることとなる。
【００２４】
このようなリモコン装置１の構成により、ユーザーからの各種入力を操作部１７にて受付けるとともに、映像情報を表示部１１に表示してユーザーに対して各種情報を提供するとともに、カラオケ装置２に対して楽曲予約などの各種指示を送信することが可能とされている。
【００２５】
図２は、本発明の実施形態に係るカラオケ装置２内の音響制御部７０の構成を示す図である。本実施形態の音響制御部７０は、２つの入力手段（外部入力系統）を有している。１つは歌唱用マイク４４ａ用の入力手段（７１ａ〜７３ａ）であり、もう１つは外部楽器４４ｂ用の入力手段（７１ｂ、７２ｂ）である。これら入力手段は、更に設けることとしてもよい。歌唱用マイク４４ａ用の入力手段は、Ａ／Ｄ変換器７１ａ、出力音量調整ボリューム７２ａ、Ｄ／Ａ変換器７３ａを備えて構成されている。歌唱用マイク４４ａから入力された入力音情報は、Ａ／Ｄ変換器７１ａによってデジタル信号に変換され、出力音量調整ボリューム７２ａで音量調整される。音量調整された入力音情報は、Ｄ／Ａ変換器７３ａでアナログ信号に変換され、ミキシング部７７で演奏音とミキシングされ、図示しない増幅器にて増幅された後、スピーカー４２に出力される。
【００２６】
一方、外部楽器４４ｂ用の入力手段は、Ａ／Ｄ変換器７１ｂ、出力音量調整ボリューム７２ｂを備えて構成されている。外部楽器４４ｂから入力された入力音情報は、Ａ／Ｄ変換器７１ｂによってデジタル信号に変換され、出力音量調整ボリューム７２ｂで音量調整された後、ミキシング部７４４で再生音、伴奏音とミキシングされて演奏音を形成する。
【００２７】
楽曲を再生するための楽曲再生部７４は、再生手段７４１、演奏手段７４２、再生音量調整ボリューム７４３、ミキシング部７４４を備えて構成されている。再生手段７４１は、ユーザーの歌唱音声、あるいは、ユーザーの演奏音を録音した録音情報を再生することで、再生音を出力する手段である。演奏手段７４２は、ＭＩＤＩ情報などで構成された演奏情報を演奏可能な手段であり、ユーザーから指定された演奏情報がここで演奏され、伴奏音として出力される。再生手段７４１で再生された再生音は、再生音量調整ボリューム７４３で音量調整された後、ミキシング部７４４で伴奏音とミキシングされ演奏音として出力される。なお、外部楽器４４ｂを使用する場合、外部楽器４４ｂによる入力音情報もこのミキシング部７４４でミキシングされる。
【００２８】
楽曲再生部７４から出力された演奏音は、演奏音量調整ボリューム７５で音量調整された後、Ｄ／Ａ変換器７６にてアナログ信号に変換され、ミキシング部７７で入力音情報とミキシングされてスピーカー４２に出力される。
【００２９】
ここで、本実施形態では、出力音量調整ボリューム７２、演奏音量調整ボリューム７５が、調整可能なようユーザーに対して開放されている。ユーザーはカラオケ装置２の操作部２１等を介して、出力音量調整ボリューム７２、演奏音量調整ボリューム７５を調整し、歌唱用マイク４４ａ、外部楽器４４ｂ等から入力される入力音情報と、楽曲再生部７４から出力される演奏音の音量を好みの状態に調整することが可能となっている。
【００３０】
また、投稿情報を生成する際には、各入力手段における入力音情報が録音されることとなるが、本実施形態では、Ａ／Ｄ変換器７１ａ、７１ｂ直後の出力をそれぞれ録音し、録音情報として出力することとしている。
【００３１】
では、本カラオケシステムについて投稿情報を生成すると共に、カラオケ用ホスト５（
サーバ装置）に対してアップロードする実施形態について説明する。図３は、本発明の実施形態に係る投稿情報をアップロードするための構成を示す図であり、図４は、本発明の実施形態に係るアップロード処理を示すフロー図である。
【００３２】
図３は、あるカラオケ装置２を投稿側カラオケ装置２とし、カラオケ用ホスト５に投稿情報をアップロードするための構成を示した図である。なお、カラオケ装置２には投稿側カラオケ装置、再生側カラオケ装置の両方の機能を持たせることが可能である。この図では、図１、図２で説明したカラオケ装置２中、投稿情報の生成、アップロードに必要な構成が示されている。特に、図１中、制御部３０、メモリ２７等、制御に関する構成は、投稿側制御手段としてまとめて記載している。
【００３３】
投稿側カラオケ装置２中、投稿情報の生成、アップロードに主に必要とされる構成としては、音響制御部７０、投稿側制御手段、インターフェイス部２４がある。図２で説明した音響制御部７０は、複数の入力手段（外部入力系統）を有することとしていたが、ここでは、歌唱用マイク４４ａ用の入力手段の一系統を使用する場合について説明する。投稿情報は、本実施形態のように、歌唱用マイク４４ａから入力された入力音情報を録音して投稿する以外に、外部楽器４４ｂから入力された入力音情報を録音して投稿することも可能である。あるいは、複数の入力手段からの入力音情報を録音して投稿することとしてもよい。
【００３４】
前述したように、ユーザーが楽曲を指定して楽曲演奏部７４に演奏情報を演奏させる場合、ユーザーは、出力音量調整ボリューム７２、演奏音量調整ボリューム７５を好みの状態に設定することで、演奏音、入力音の音量が調整される。ここで設定された音量値は、それぞれ、出力音量値、第２演奏音量値として投稿側制御手段に通知される。投稿情報を生成する際には、この出力音量値と第１演奏音量値の関係を示す情報（相対音量情報）が、投稿情報に含められることになる。
【００３５】
Ａ／Ｄ変換器７１から出力される入力音情報は、投稿側制御手段にて録音され、投稿側制御手段で生成される投稿情報に含められる。投稿側制御手段で生成された投稿情報は、インターフェイス部２４を介してカラオケ用ホスト５に送信される。
【００３６】
本実施形態のカラオケ用ホスト５は、記憶部５１、送受信手段５２、サーバ側制御手段５３を備えて構成されている。カラオケ用ホスト５に送信された投稿情報は、送受信手段５２を介して記憶部５１に記憶される。記憶された投稿情報は、再生側カラオケ装置２への送信、あるいは、情報端末装置等への配信に利用される。
【００３７】
図４には、投稿情報を生成し、カラオケ用ホスト５に送信するアップロード処理のフロー図が示されている。このアップロード処理は、投稿側カラオケ装置２において、所定の操作を行うことで実行される１つのモードである。リモコン装置１、あるいは、カラオケ装置２の操作部２１を介して楽曲が指定される（Ｓ１０１：Ｙｅｓ）と、投稿側制御手段は、楽曲再生部７４に対して、指定された楽曲に対応する演奏情報を演奏を開始させる（Ｓ１０２）。演奏開始と略同時に、入力音声情報の録音が開始される（Ｓ１０３）。
【００３８】
演奏終了が判定される（Ｓ１０４：Ｙｅｓ）と、入力音声情報の録音が停止し（Ｓ１０５）、録音された入力音声情報は録音情報として一時的に記録される。本実施形態では、ユーザーは記録された録音情報を再生して投稿（アップロード）するか否かを選択することが可能となっている。すなわち、ユーザーが録音情報の確認を必要とした場合（Ｓ１０６：Ｙｅｓ）、録音情報を楽曲再生部７４にて再生（Ｓ１０７）させ、ユーザーに歌唱状態等を確認させることが可能となっている。このとき、楽曲再生部７４にて、録音時に使用した楽曲を録音情報に同期して演奏させることとしてもよい。
【００３９】
ユーザーにより録音情報のアップロードが選択された場合（Ｓ１０８：Ｙｅｓ）、投稿側制御手段は投稿情報の生成する（Ｓ１０９）。この投稿情報には、録音された録音情報の他、録音時に演奏した演奏情報に対応する楽曲識別情報、そして、相対音量情報が含まれている。相対音量情報とは、出力音量値と第１演奏音量値の関係を示す情報である。この相対音量情報を使用することで、投稿情報に基づく演奏を行う際、録音時の出力音量値と演奏音量値のバランスが再現可能となる。
【００４０】
図７には、本発明の実施形態に係る音量値テーブルを示す図が示されている。このテーブルは、出力音量値と演奏音量値のそれぞれについて、設定時に表示される表示値と設定される音量値［ｄＢ］の関係を示したものである。例えば、図３の投稿側カラオケ装置２において、第１演奏音量値の表示値が４６（音量値では０[ｄＢ]）に、出力音量値の表示値が５０（音量値では４[ｄＢ]）に設定されていた場合、相対音量情報は演奏音量値に対する出力音量値のデシベル差（＋４ｄＢ）に設定される。相対音量情報は、このような形態に限らず演奏音量値と出力音量値のバランスを再現できるものであればよく、演奏音量値と出力音量値自体を相対音量情報として使用することとしてもよい。なお、この相対音量情報は、演奏中、ユーザーにより好適な状態にボリューム調整が行われることを考慮すると、演奏終了時に設定されていた第１演奏音量値、出力音量値に基づいて決定することが好ましい。
【００４１】
投稿情報には、この他、演奏情報を演奏させる際に設定した音程情報、あるいは、速度情報等の演奏設定情報を含めることとしてもよい。再生側カラオケ装置２にて、演奏設定情報を用いて演奏情報を演奏させることで録音時の環境を再現することが可能となる。あるいは、演奏設定情報に基づいて録音情報と演奏情報を再生することで、再生側カラオケ装置２での再生環境に録音情報を適合させることが可能となる。また、投稿情報には、投稿を行ったユーザーのユーザー識別情報を含めることとしてもよい。投稿情報をユーザー別に検索することが可能となる。さらに、投稿情報には、楽曲を演奏させた際、カラオケ装置２に接続されているカメラ４３で撮像された撮像情報を含めることとしてもよい。録音情報と同期して撮像情報を再生することで、ユーザー（投稿者）の歌唱する様子などを合わせて楽しむことが可能となる。
【００４２】
Ｓ１０９にて生成された投稿情報は、Ｓ１１０にてカラオケ用ホスト５に送信（アップロード）される。投稿情報を受信したカラオケ用ホスト５は、記憶部５１に投稿情報を記憶させて管理する。このようにカラオケ用ホスト５にアップロードされた投稿情報は、再生側カラオケ装置２にて聴取可能となる。なお、本実施形態では、歌唱用マイク４４ａからの入力音情報を録音する形態について説明したが、外部楽器４４ｂからの入力音情報を録音し、投稿情報を生成することも可能である。また、投稿情報には複数の入力音情報を含めることも可能である。
【００４３】
（第１実施形態）
では、再生側カラオケ装置２で投稿情報をダウンロードして再生する実施形態（第１実施形態）について図を用いて説明する。図５は、本発明の実施形態に係る投稿情報をダウンロードするための構成を示す図であり、図６は、本発明の実施形態に係るダウンロード処理を示すフロー図である。
【００４４】
図５は、あるカラオケ装置２を再生側カラオケ装置２とし、カラオケ用ホスト５から投稿情報をダウンロードして再生するための構成を示した図である。この図では、図１、図２で説明したカラオケ装置２中、投稿情報のダウンロード、再生に必要な構成が示されている。特に、図１中、制御部３０、メモリ２７などの構成は、再生側制御手段としてまとめて記載している。
【００４５】
本実施形態では、歌唱用マイク４４ａ用の入力手段、一系統が使用可能とする場合が示されており、再生側カラオケ装置２では、ユーザーは歌唱用マイク４４ａを使用して歌唱することで、録音情報の再生と同期して歌唱することが可能となっている。演奏音量調整ボリューム７５は、ユーザーの設定により調整可能とされているが、設定された演奏音量値は、第２演奏音量値として再生側制御手段に伝達される。また、再生手段７４１の再生音量を調整する再生音量調整ボリューム７４３は、再生側制御手段によって制御可能となっている。この再生音量調整ボリューム７４３は、通常、ユーザーに開放されておらず、ユーザーの操作により調整することはできない。
【００４６】
では、このような構成の再生側カラオケ装置２を使用したダウンロード処理について説明する。図６には、本発明の実施形態に係るダウンロード処理を示すフロー図が示されている。再生側カラオケ装置２あるいはそれに連携するリモコン装置１では、メニューにより希望する投稿情報を選択可能とされている。ユーザーの希望する投稿情報が指定される（Ｓ２０１）と、当該投稿情報に対応する投稿情報識別情報が送信され、カラオケ用ホスト５に対する問い合わせが行われる（Ｓ２０２）。投稿情報識別情報を受信したカラオケ用ホスト５では、記憶部５１から投稿情報識別情報に対応する投稿情報を取得（Ｓ２５１）し、要求のあった再生側カラオケ装置２に送信する（Ｓ２５２）。
【００４７】
投稿情報を受信（Ｓ２０３）した再生側カラオケ装置２では、投稿情報に含まれる相対音量情報を抽出する（Ｓ２０４）。投稿側カラオケ装置２において説明したように、本実施形態では、相対音量情報として、演奏音量値に対する出力音量値のデシベル差（＋４ｄＢ）が記述されている。次に、再生側カラオケ装置２は、演奏音量ボリューム７５に設定されている演奏音量値（第２演奏音量値）を取得する（Ｓ２０５）。Ｓ２０６では、Ｓ２０４で抽出された相対音量情報と、Ｓ２０５で取得した第２演奏音量値に基づいて再生音量値が決定される。
【００４８】
図７に示される音量値テーブルの例の場合、第２演奏音量値が表示値で４０（音量値では−６[ｄＢ]）に設定されていた場合、本実施形態では、この第２演奏音量値に相対音量情報（＋４[ｄＢ]）を加算することで再生音量値が決定される。この場合、再生音量値は、表示値で４４（音量値では−２[ｄＢ]）に決定されることとなる。
【００４９】
Ｓ２０５で決定された再生音量値は、再生側カラオケ装置２の再生音量調整ボリューム７４３に設定される（Ｓ２０７）。このように再生側カラオケ装置２では、ユーザーによって設定された第２演奏音量値（演奏音量ボリューム７５）に応じて、再生音量値（再生音量ボリューム７４３）が設定される。このような設定下の基で、演奏情報を演奏手段７４２に演奏させ、録音情報を再生手段７４１に再生させる（Ｓ２０８）ことで、録音時の音量バランスを再現することが可能となる。また、デュエットなど録音情報にあわせて歌唱を同時に楽しむ場合、ユーザーは出力音量調整ボリューム７２を調整することで、好適な音響条件に設定することも可能である。
【００５０】
（第２実施形態）
以上、本実施形態のダウンロード処理では、投稿側カラオケ装置２において、録音情報の音量補正を行う形態としているが、この音量補正は、カラオケ用ホスト５において行うことも可能である。図８は、本発明の第２実施形態に係る投稿情報をダウンロードするための構成を示す図であり、図９は、本発明の第２実施形態に係るダウンロード処理を示すフロー図である。なお、アップロード処理については、第１実施形態と同様であるため、ここでの説明は省略する。
【００５１】
図８のダウンロードするための構成では、再生側制御手段は、演奏音量調整ボリューム
７５に設定された第２演奏音量値を取得して、カラオケ用ホスト５側に伝達可能な構成を有している。第２演奏音量値を受信したカラオケ用ホスト５側では、第２演奏音量値と、投稿情報内に含まれる相対音量情報に基づいて、当該投稿情報内の録音情報の音量値を調整した後、再生側カラオケ装置２に対して当該投稿情報を送信する。再生側カラオケ装置２では、受信した投稿情報内の録音情報を再生手段７４１に再生させることとなるが、その際、第１実施形態と異なり、再生手段７４１の出力側における音量調整は実施されない。
【００５２】
では、第２実施形態のダウンロード処理について図９のフロー図を用いて説明する。再生側カラオケ装置２において、投稿情報が指定される（Ｓ２１１）と、まず、再生側カラオケ装置２内の演奏音量ボリューム７５に設定されている第２演奏音量値が取得される（Ｓ２１２）。カラオケ用ホスト５への問い合わせにおいては、指定された投稿情報識別情報と取得された第２演奏音量値がカラオケ用ホスト５に送信される（Ｓ２１３）。
【００５３】
カラオケ用ホスト５では、受信した投稿情報識別情報に基づいて記憶部５１から投稿情報を取得し（Ｓ２６１）、取得した投稿情報から相対音量情報を抽出する（Ｓ２６２）。Ｓ２６３では、Ｓ２０６で抽出された相対音量情報と、再生側カラオケ装置２から受信した第２演奏音量値に基づいて再生音量値が決定される。再生音量値の決定は、第１実施形態と同様である。
【００５４】
Ｓ２６４では、決定された再生音量値を用いて、Ｓ２６１で取得された投稿情報に含まれる録音情報の音量補正が実行される。具体的には、録音情報を構成するファイル内の音量を示す情報に対して、決定された再生音量値を適用する等によって実行される。Ｓ２６５では要求のあった再生側カラオケ装置２に対して、投稿情報が送信される。送信される投稿情報に含まれる録音情報は、再生音量値に基づいて音量補正されたものである。
【００５５】
再生側カラオケ装置２では、投稿情報を受信（Ｓ２１４）し、投稿情報に含まれる録音情報を再生手段７４１にて再生させるとともに、投稿情報に含まれる楽曲識別情報に対応する演奏情報を演奏手段７４２に演奏させる（Ｓ２１５）。このとき、録音情報はカラオケ用ホスト５側にて音量調整されたものとなっているため、投稿側カラオケ装置２で録音した際の音量バランスを再現することが可能となっている。
【００５６】
以上、第１、第２実施形態では、投稿情報の送信対象は再生側カラオケ装置２としていたが、この投稿情報は、家庭等で使用されるパーソナルコンピュータ、あるいは、携帯情報端末等の情報端末装置に対して配信することとしてもよい。このような情報端末装置では、演奏情報をカラオケ装置２と同様に演奏できない可能性がある。そのため、カラオケ用ホスト５にて演奏したものを音声情報として配信することが行われている。
【００５７】
（第３実施形態）
このような情報端末装置に対する配信する実施形態（第３実施形態）について、図１０、図１１を用いて説明を行う。図１０は、本発明の他の実施形態に係る配信情報を送信するための構成を示す図であり、図１１は、本発明の他の実施形態に係る配信処理を示すフロー図である。
【００５８】
図１０に示されるように、第３実施形態のカラオケ用ホスト５は、前述の実施形態で説明した記憶部５１、送受信手段５２、サーバ側制御手段５３以外に、楽曲再生部５４を備えて構成されている。この楽曲再生部５４は、録音情報を再生する再生手段５４１、演奏情報を演奏する演奏手段５４２、再生された録音情報の音量を調整する再生音量調整ボリューム５４３、ミキシング部５４４、ミキシング部５４５の出力音量を調整する演奏音量調整ボリューム５４５、圧縮手段５４６を備えて構成されている。なお、演奏音量調整ボ
リューム５４５は、通常、固定された状態で使用される。
【００５９】
このようなカラオケ用ホスト５の構成においては、情報端末装置から要求された投稿情報に基づく配信を行う際、投稿情報に含まれる録音情報を再生手段にて再生させるとともに、投稿情報に含まれる楽曲識別情報に対応する演奏情報を演奏手段５４２に再生させる。そして、両者をミキシング部５４４でミキシングすることで演奏音が再現される。その際、投稿情報に含まれる相対音量情報と演奏音量調整ボリューム５４５に設定されている音量値に基づいて、再生音量調整ボリューム５４３の音量値に対する補正が行われる。この再現された演奏音を圧縮手段５４６を介して圧縮させた上で、情報端末装置に配信が行われる。配信方法としては、情報端末装置にダウンロードさせた上で再生させる形態の他、ストリーミング再生等、各種形態を採用することが可能である。
【００６０】
では、第３実施形態の配信処理について図１１のフロー図を用いて説明する。情報端末装置において、投稿情報が指定される（Ｓ２２１）と、カラオケ用ホスト５への問い合わせにおいては、指定された投稿情報識別情報と取得された第２演奏音量値がカラオケ用ホスト５に送信される（Ｓ２１３）。
【００６１】
カラオケ用ホスト５では、受信した投稿情報識別情報に基づいて記憶部５１から投稿情報を取得し（Ｓ２７１）、取得した投稿情報から相対音量情報を抽出する（Ｓ２７２）。Ｓ２７３では、Ｓ２７２で抽出された相対音量情報と、演奏音量ボリューム５４５に設定されている第２演奏音量値に基づいて再生音量値が決定される。再生音量値の決定は、第１実施形態と同様である。
【００６２】
Ｓ２７４では、決定された再生音量値を再生音量調整ボリューム５４３に設定する（Ｓ２７４）。このようにカラオケ用ホスト５内の楽曲再生部５４では、予め設定されている第２演奏音量値（演奏音量ボリューム５４５）に応じて、再生音量値（再生音量ボリューム５４３）が設定される。このような設定下の基で、投稿情報に含まれる楽曲識別情報に対応する演奏情報を演奏手段５４２に演奏させ、投稿情報に含まれる録音情報を再生手段５４１に再生させる（Ｓ２７５）。再生された演奏音は、圧縮手段５４６にて圧縮され、配信情報として、要求のあった情報端末装置に配信される（Ｓ２７６）。情報端末装置では、配信情報を受信（Ｓ２２３）して再生（Ｓ２２４）ことで、録音時の音量バランスが再現された配信情報を聴取することが可能となる。
【００６３】
なお、本発明はこれらの実施形態のみに限られるものではなく、それぞれの実施形態の構成を適宜組み合わせて構成した実施形態も本発明の範疇となるものである。
【符号の説明】
【００６４】
１ａ、１ｂ…リモコン装置、１１…表示部、１２…ビデオＲＡＭ、１３…映像制御部、１４…メモリ、１５…制御部、１６…無線ＬＡＮ通信部、１７…操作部、１８…操作処理部、１９…赤外線通信部、２…カラオケ装置、２１…操作部、２２…操作処理部、２３…赤外線通信部、２４…インターフェイス部、２７…メモリ、２８…ビデオＲＡＭ、２９…映像再生部、３０…制御部、３１…映像制御部、３２…ハードディスク、４１…モニタ装置、４２…スピーカー、４４ａ…歌唱用マイク、４４ｂ〜４４ｄ…外部楽器、１００…ＬＡＮ、１１０…アクセスポイント、１２０…ルータ、５…カラオケ用ホスト、５１…記憶部、５２…送受信手段、５３…サーバ側制御手段、５４…楽曲再生部、５４１…再生手段、５４２…演奏手段、５４３…再生音量調整ボリューム、５４４…ミキシング部、５４５…演奏音量調整ボリューム、５４６…圧縮手段、７０…音響制御部、７１…Ａ／Ｄ変換器、７２…出力音量調整ボリューム、７３…Ｄ／Ａ変換器、７４…楽曲再生部、７４１…再生手段、７４２…演奏手段、７４３…再生音量調整ボリューム、７４４…ミキシング部、７５…演奏音量調整ボリューム、７６…Ｄ／Ａ変換器、７７…ミキシング部
【図１】
0005522418.tif 000002
【図２】
0005522418.tif 000003
【図３】
0005522418.tif 000004
【図４】
0005522418.tif 000005
【図５】
0005522418.tif 000006
【図６】
0005522418.tif 000007
【図７】
0005522418.tif 000008
【図８】
0005522418.tif 000009
【図９】
0005522418.tif 000010
【図１０】
0005522418.tif 000011
【図１１】
0005522418.tif 000012